(57)【要約】【課題】ランプのアークの位置が試験的点灯でずれた場合にも簡易にずれを低減することができ、光利用効率を高めることができる光源装置の組立方法を提供すること。【解決手段】通常の状態から１８０°回転したランプ装置１２４は、インナーホルダ９０に対して上下逆に装着することができる。この場合、隣接する２つの辺部材９１ａ，９１ｂは、ランプ装置１２４の凹面鏡２２に設けた隣接する２つの辺部分２２ｈ，２２ｉにそれぞれ当接して、凹面鏡２２すなわちランプ装置１２４を位置決めする。この際、押さえバネ９３は、ランプ装置１２４の凹面鏡２２を辺部分２２ｈ，２２ｉ側に付勢して凹面鏡２２の紙面内方向の移動を制限するとともに、凹面鏡２２をストッパ９２側に付勢して凹面鏡２２の紙面垂直方向の移動を制限する。結果的に、インナーホルダ９０に対して倒立状態のランプ装置１２４が正確に位置決めされて固定される。【選択図】図４
2007141490.tif 000002
【特許請求の範囲】
【請求項１】
放電発光型のランプ本体と、当該ランプ本体を中央に支持するとともに矩形の外周縁部
を有する凹面鏡と、前記ランプ本体に接続される給電線とを有するランプ装置を横置型の
ホルダに固定して成る光源装置の組立方法であって、
前記ランプ装置の前記外周縁部をホルダに一旦固定して所定時間の試験的点灯を行う工
程と、
前記試験的点灯後に前記ランプ本体においてアークの位置ずれが発生した場合に、前記
ランプ装置を上下逆にして前記ホルダに再装着する工程と
を備える光源装置の組立方法。
【請求項２】
前記ホルダは、前記凹面鏡の前記外周縁部の隣接する２辺部分を位置決めしつつ固定す
る請求項１記載の光源装置の組立方法。
【請求項３】
前記ホルダは、前記凹面鏡の前記外周縁部の２辺部分に当接する位置決め部材と、前記
外周縁部の２辺部分を前記位置決め部材に付勢する付勢部材とを備える請求項２記載の光
源装置の組立方法。
【請求項４】
前記ランプ装置を前記ホルダに再装着する際に、前記給電線の長さを調節する延長線を
接続する請求項１から請求項３のいずれか一項記載の光源装置の組立方法。
【請求項５】
放電発光型のランプ本体と、当該ランプ本体を中央に支持するとともに矩形の外周縁部
を有する凹面鏡と、前記ランプ本体に接続される給電線とを有するランプ装置を横置型の
ホルダに固定して成る光源装置と、前記光源装置からの光を均一な面内照度を有する光束
に変換する照明光学系と、前記照明光学系からの光を画像情報に応じて変調する光変調部
と、前記光変調部で変調された光を拡大投射する投写光学系と、前記光源装置および前記
光変調部に電力を供給する電源装置と、前記光変調部を制御する制御部とを備えたプロジ
ェクタの組立方法であって、
前記光源装置と、前記照明光学系と、前記光変調部と、前記投写光学系とを筐体内に組
み込み、前記光源装置を点灯させ前記照明光学系および前記投写光学系の位置を調整し、
前記投写光学系から射出された光の照度を測定し、前記光の照度が規格値以上であるかど
うかを判定する工程と、
前記光の照度が規格値以上であった場合に、前記電源装置と、前記制御部とを筐体内に
組み込み、前記プロジェクタの電気的な動作確認を行なう工程と
前記電気的な動作確認を行なった後、再度前記投写光学系から射出された光の照度を測
定し、前記光の照度が規格値以上であるかどうかを判定する工程と、
前記光の照度が規格値以下であった場合、前記光源装置を前記筐体から取外し、取外し
た前記光源装置の前記ランプ装置を上下逆にして前記ホルダに再装着し、前記ランプ装置
を上下逆にして再装着された前記光源装置を再び前記筐体内に組み込み、前記投写光学系
から射出された光の照度を測定し、前記光の照度が規格値以上であるかどうかを判定する
工程と、
を備えるプロジェクタの組立方法。
【請求項６】
前記ホルダは、前記凹面鏡の前記外周縁部の隣接する２辺部分を位置決めしつつ固定す
る請求項５記載のプロジェクタの組立方法。
【請求項７】
前記ホルダは、前記凹面鏡の前記外周縁部の２辺部分に当接する位置決め部材と、前記
外周縁部の２辺部分を前記位置決め部材に付勢する付勢部材とを備える請求項６記載のプ
ロジェクタの組立方法。
【請求項８】
前記ランプ装置を前記ホルダに再装着する際に、前記給電線の長さを調節する延長線を
接続する請求項５から請求項７のいずれか一項記載のプロジェクタの組立方法。
【請求項９】
放電発光型のランプ本体と、当該ランプ本体を中央に支持するとともに矩形の外周縁部
を有する凹面鏡と、前記ランプ本体に接続される給電線とを有するランプ装置と、
前記ランプ装置を横置きに支持するとともに当該ランプ装置を上下逆にして再装着可能
にした横置型のホルダと、
前記ランプ装置からの光を均一化するとともに、所定の偏光方向に揃え、照明光を形成
する照明光学系と、
前記照明光学系を経た照明光を変調し像光を形成する光変調装置と、
前記光変調装置で形成された像光を投射する投射光学系と
を備えるプロジェクタ。
【発明の詳細な説明】
【技術分野】
【０００１】
本発明は、画像を投射するためのプロジェクタの組立方法及びこれに組み込まれる光源
装置の組立方法、並びに、かかる組立方法を用いたプロジェクタに関する。
【背景技術】
【０００２】
プロジェクタ用の光源装置として、メタルハライドランプをリフレクタ内に水平点灯式
に配置したランプユニットを支持する光源装着部の内面を、ランプユニットを回転可能に
装着できるように円筒形状にしたものが存在する。この光源装置では、ランプユニットが
回転前の符号印と、１８０°回転した場合の符号印を設けて、プロジェクタが天井に吊り
下げられて上下逆に設置される場合に、光源装置を回転させるものが存在する（特許文献
１参照）。
【特許文献１】特開平８−３１４０１０号公報
【発明の開示】
【発明が解決しようとする課題】
【０００３】
しかしながら、上記のプロジェクタは、机上などに設置して使用する場合（正立状態）
と、天井から吊り下げて使用する際に上下を逆にする場合（倒立状態）とのランプユニッ
トの設置切替を前提とするものであり、正立状態のままで使用されるランプのアークずれ
については必ずしも解決を与えていない。また、上記のように光源装着部の内面を円筒形
状とした場合、精度良く確実に固定することが困難であり、しかも耐衝撃性が低下し空冷
効率が下がるだけでなく、光源装置部分が大型化する傾向が生じる。
【０００４】
ところで、プロジェクタを組み立てる場合、ランプの組み付け後に数時間から数十時間
の試験的な連続点灯を行って初期動作の安定性を図ることがある。この際、ランプのアー
クの位置が恒常的にずれて次段の光均一化用のフライアイ光学系に取り込む光利用効率が
低下し、投射像の照度が大幅に低下する場合がある。なお、位置調整装置を有しない簡易
なホルダにランプを取り付けた状態では、ランプの精密な位置調整が困難な作業となって
しまう。
【０００５】
そこで、本発明は、ランプのアークの位置が試験的点灯でずれた場合にも簡易にずれを
低減することができ、光利用効率を高めることができる光源装置の組立方法等を提供する
ことを目的とする。
【０００６】
また、本発明は、光源装置からの照明光の効率的利用によって高照度の投射像を投射す
ることができるプロジェクタを提供することを目的とする。
【課題を解決するための手段】
【０００７】
上記課題を解決するため、本発明に係る光源装置の組立方法は、（ａ）放電発光型のラ
ンプ本体と、当該ランプ本体を中央に支持するとともに矩形の外周縁部を有する凹面鏡と
、ランプ本体に接続される給電線とを有するランプ装置を横置型のホルダに固定して成る
光源装置の組立方法であって、（ｂ）ランプ装置の外周縁部をホルダに一旦固定して所定
時間の試験的点灯を行う工程と、（ｃ）試験的点灯後にランプ本体においてアークの位置
ずれが発生した場合に、ランプ装置を上下逆にしてホルダに再装着する工程とを備える。
【０００８】
上記光源装置の組立方法によれば、試験的点灯後にランプ本体においてアークの位置ず
れが発生した場合に、ランプ装置を上下逆にしてホルダに再装着するので、位置調整装置
を有しない簡易なホルダであっても、アークの位置ずれを簡易に低減することができ、光
源装置から取り出される照明光の光利用効率を高めることができる。なお、横置型のラン
プ装置の試験的点灯により、原因が明らかでないものの、アークが上下方向にわずかに移
動することがあり、この場合、アークが電極とともに上側に位置ずれする場合が殆どであ
ることが分かっている。したがって、ランプ装置を上下逆に取り付けるという簡単な作業
により、電極が相対的に下側に移動し、アークがほぼ適正な位置に移動するという結果が
経験的に得られた。
【０００９】
本発明の具体的な観点又は態様では、上記光源装置の組立方法において、ホルダが、凹
面鏡の外周縁部の隣接する２辺部分を位置決めしつつ固定する。この場合、ランプ装置を
２辺部分に沿った直交する２方向に関して２次元的な位置決めを行って固定することがで
きる。
【００１０】
本発明の別の態様では、ホルダが、凹面鏡の外周縁部の２辺部分に当接する位置決め部
材と、外周縁部の２辺部分を位置決め部材に付勢する付勢部材とを備える。この場合、付
勢部材の付勢力によって位置決めと固定とを達成することができる。
【００１１】
また、本発明の別の態様では、ランプ装置をホルダに再装着する際に、給電線の長さを
調節する延長線を接続する。この場合、給電線が凹面鏡に関して非対称に延びていてラン
プ装置を上下逆にすると給電線の配置が大きく変わる場合であっても、給電線をコネクタ
に確実に接続することができ、かつ、ランプ装置を正立させた場合にも給電線の無駄がな
い。
【００１２】
本発明に係る別の方法は、放電発光型のランプ本体と、当該ランプ本体を中央に支持す
るとともに矩形の外周縁部を有する凹面鏡と、ランプ本体に接続される給電線とを有する
ランプ装置を横置型のホルダに固定して成る光源装置と、光源装置からの光を均一な面内
照度を有する光束に変換する照明光学系と、照明光学系からの光を画像情報に応じて変調
する光変調部と、光変調部で変調された光を拡大投射する投写光学系と、光源装置および
光変調部に電力を供給する電源装置と、光変調部を制御する制御部とを備えたプロジェク
タの組立方法に関するものである。そして、本組立方法は、（ａ）光源装置と、照明光学
系と、光変調部と、投写光学系とを筐体内に組み込み、光源装置を点灯させ照明光学系お
よび投写光学系の位置を調整し、投写光学系から射出された光の照度を測定し、光の照度
が規格値以上であるかどうかを判定する工程と、（ｂ）光の照度が規格値以上であった場
合に、電源装置と、制御部とを筐体内に組み込み、プロジェクタの電気的な動作確認を行
なう工程と、（ｃ）電気的な動作確認を行なった後、再度投写光学系から射出された光の
照度を測定し、光の照度が規格値以上であるかどうかを判定する工程と、（ｄ）光の照度
が規格値以下であった場合、光源装置を筐体から取外し、取外した光源装置のランプ装置
を上下逆にしてホルダに再装着し、ランプ装置を上下逆にして再装着された光源装置を再
び筐体内に組み込み、投写光学系から射出された光の照度を測定し、光の照度が規格値以
上であるかどうかを判定する工程とを備える。
【００１３】
本発明に係るプロジェクタは、（ａ）放電発光型のランプ本体と、当該ランプ本体を中
央に支持するとともに矩形の外周縁部を有する凹面鏡と、ランプ本体に接続される給電線
とを有するランプ装置と、（ｂ）ランプ装置を横置きに支持するとともに当該ランプ装置
を上下逆にして再装着可能にした横置型のホルダと、（ｃ）ランプ装置からの光を均一化
するとともに、所定の偏光方向に揃え、照明光を形成する照明光学系と、（ｄ）照明光学
系を経た照明光を変調し像光を形成する光変調装置と、（ｅ）光変調装置で形成された像
光を投射する投射光学系とを備える。
【００１４】
上記プロジェクタによれば、これに設けたホルダがランプ装置を支持するとともに当該
ランプ装置を上下逆にして再装着可能にする。つまり、ランプ装置の試験的点灯後にラン
プ本体においてアークの位置ずれが発生した場合に、ランプ装置を上下逆にしてホルダに
再装着できる。よって、位置調整装置を有しない簡易なホルダであっても、アークの位置
ずれを簡易に低減することができ、光源装置から取り出される照明光の光利用効率を高め
ることができ、高照度の投射像を投射することができる。
【発明を実施するための最良の形態】
【００１５】
図１は、本発明の一実施形態に係るプロジェクタ１０の光学系を示す模式図である。こ
のプロジェクタ１０は、光源から射出された光束を画像情報に応じて変調して光学像を形
成し、この光学像をスクリーン上に拡大投射する光学機器であり、光源ランプユニット２
０、照明光学系３０、色分離装置４０、光変調部５０、クロスダイクロイックプリズム６
０、及び投射光学系７０を備えて構成される。なお、これらの光学部品２０，３０，４０
，５０，６０，７０は、遮光性のケース１１内部の適所に固定され、或いはケース１１の
一部に外側から取り付けられている。また、ケース１１は、プロジェクタ１０に電力を供
給する電源装置２およびプロジェクタ１０の動作を制御する制御部４と共に筐体としての
外装ケース６内に収納される。
【００１６】
光源ランプユニット２０は、ランプ本体２１から周囲に放射された光束を集めて射出し
、照明光学系３０及び色分離装置４０を介して光変調部５０を照明するための光源装置で
あり、放電発光型の発光管であるランプ本体２１と、ランプ本体２１から射出された光源
光を反射する楕円の凹面鏡２２と、凹面鏡２２で反射された光源光をコリメートする凹レ
ンズ２３とを備える。この光源ランプユニット２０において、ランプ本体２１から射出さ
れた光源光は、凹面鏡２２及び凹レンズ２３を経て平行化され、前方側すなわち照明光学
系３０側に射出される。なお、ランプ本体２１及び凹面鏡２２は、一体的に組み立てられ
て交換可能なユニット状のランプ装置であり、後に詳述するが、紙面に垂直な上下方向に
関して上下逆に付け替え可能となっている。
【００１７】
照明光学系３０は、光源ランプユニット２０から射出された光束を複数の部分光束に分
割し、これら複数の光束を対象とする照明領域に重畳して入射させ、この照明領域の面内
照度を均一化するための光学系であり、第１レンズアレイ３１、第２レンズアレイ３２、
偏光変換部材３４、及びコンデンサレンズ３５を備えている。
【００１８】
第１レンズアレイ３１は、ランプ本体２１から射出された光束を複数の部分光束に分割
する光束分割光学素子としての機能を有し、システム光軸ＯＡと直交する面内にマトリッ
クス状に配列される複数の小レンズ３１ａを備えて構成される。各小レンズ３１ａの輪郭
形状は、後述する光変調部５０を構成する液晶パネル５１ｂ，５１ｇ，５１ｒの画像形成
領域の形状とほぼ相似形をなすように設定されている。第２レンズアレイ３２は、前述し
た第１レンズアレイ３１により分割された複数の部分光束を集光する光学素子であり、第
１レンズアレイ３１と同様にシステム光軸ＯＡに直交する面内にマトリックス状に配列さ
れる複数の小レンズ３２ａを備えているが、集光を目的としているため、各小レンズ３２
ａの輪郭形状が液晶パネル５１ｂ，５１ｇ，５１ｒの画像形成領域の形状と対応している
必要はない。
【００１９】
偏光変換部材３４は、ＰＢＳアレイと位相差板とで形成されており、第１レンズアレイ
３１により分割された各部分光束の偏光方向を一方向の直線偏光に揃える役割を有する。
この偏光変換部材３４のＰＢＳアレイは、詳細な図示を省略しているが、システム光軸Ｏ
Ａに対して傾斜配置される偏光分離膜及び反射ミラーを交互に配列した構成を具備する。
前者の偏光分離膜は、各部分光束に含まれるＰ偏光光束及びＳ偏光光束のうち、一方の偏
光光束を透過し、他方の偏光光束を反射する。反射された他方の偏光光束は、後者の反射
ミラーによって曲折され、一方の偏光光束の射出方向、すなわちシステム光軸ＯＡに沿っ
た方向に射出される。射出された偏光光束のいずれかは、偏光変換部材３４の光束射出面
にストライプ状に設けられる位相差板によって偏光変換され、すべての偏光光束の偏光方
向が揃えられる。このような偏光変換部材３４を用いることにより、ランプ本体２１から
射出される光束を、一方向の偏光光束に揃えることができるため、光変調部５０で利用す
る光源光の利用率を向上させることができる。
【００２０】
コンデンサレンズ３５は、第１レンズアレイ３１、第２レンズアレイ３２、及び偏光変
換部材３４を経た複数の部分光束を集光して液晶パネル５１ｂ，５１ｇ，５１ｒの画像形
成領域上に重畳させて入射させる重畳光学素子である。このコンデンサレンズ３５から射
出された光束は、均一化されつつ次段の色分離装置４０に射出される。つまり、両レンズ
アレイ３１，３２とコンデンサレンズ３５とを経た照明光は、以下に詳述する色分離装置
４０を経て、光変調部５０すなわち各色の液晶パネル５１ｂ，５１ｇ，５１ｒの画像形成
領域を均一に重畳照明する。
【００２１】
色分離装置４０は、第１及び第２ダイクロイックミラー４１ａ，４１ｂ、反射ミラー４
２ａ，４２ｂ，４２ｃ、フィールドレンズ４３ｒ，４３ｂ，４３ｇ、及びリレー光学系４
６，４７を備える。これらのうち、第１及び第２ダイクロイックミラー４１ａ，４１ｂを
含んで構成される色分離光学系は、照明光を青（Ｂ）色光、緑（Ｇ）色光、及び赤（Ｒ）
色光の３つの光束に分離する。各ダイクロイックミラー４１ａ，４１ｂは、透明基板上に
、所定の波長領域の光束を反射し他の波長領域の光束を透過する波長選択作用を有する誘
電体多層膜を形成することによって得た光学素子であり、システム光軸ＯＡに対してとも
に傾斜した状態で配置される。第１ダイクロイックミラー４１ａは、赤・青・緑（Ｒ・Ｇ
・Ｂ）の３色のうち青色光ＬＢを反射し、緑色光ＬＧと赤色光ＬＲとを透過させる。また
、第２ダイクロイックミラー４１ｂは、入射した緑色光ＬＧ及び赤色光ＬＲのうち緑色光
ＬＧを反射し赤色光ＬＲを透過させる。
【００２２】
この色分離装置４０において、光源ランプユニット２０から照明光学系３０を経て入射
した照明光は、まず第１ダイクロイックミラー４１ａに入射する。第１ダイクロイックミ
ラー４１ａで反射された青色光ＬＢは、第１光路ＯＰ１に導かれ、反射ミラー４２ａを経
て最終段のフィールドレンズ４３ｂに入射する。また、第１ダイクロイックミラー４１ａ
を透過して第２ダイクロイックミラー４１ｂで反射された緑色光ＬＧは、第２光路ＯＰ２
に導かれ最終段のフィールドレンズ４３ｇに入射する。さらに、第２ダイクロイックミラ
ー４１ｂを通過した赤色光ＬＲは、第３光路ＯＰ３に導かれ、反射ミラー４２ｂ，４２ｃ
やリレー光学系４６，４７を経て最終段のフィールドレンズ４３ｒに入射する。なお、リ
レー光学系４６，４７は、入射側の第１のレンズ４６の直前に形成された像を、次段の第
２のレンズ４７を介して、ほぼそのまま射出側のフィールドレンズ４３ｒに伝達すること
により、光の拡散等による光の利用効率の低下を防止している。
【００２３】
光変調部５０は、３色の照明光ＬＢ，ＬＧ，ＬＲがそれぞれ入射する３つの液晶パネル
（液晶表示パネル）５１ｂ，５１ｇ，５１ｒと、各液晶パネル５１ｂ，５１ｇ，５１ｒを
挟むように配置される３組の偏光フィルタ５２ｂ，５２ｇ，５２ｒとを備える。ここで、
例えば青色光ＬＢ用の液晶パネル５１ｂと、これを挟む一対の偏光フィルタ５２ｂ，５２
ｂとは、照明光を２次元的に輝度変調するための液晶ライトバルブを構成する。同様に、
緑色光ＬＧ用の液晶パネル５１ｇと、対応する偏光フィルタ５２ｇ，５２ｇも、液晶ライ
トバルブを構成し、赤色光ＬＲ用の液晶パネル５１ｒと、偏光フィルタ５２ｒ，５２ｒも
、液晶ライトバルブを構成する。各液晶パネル５１ｂ，５１ｇ，５１ｒは、一対の透明な
ガラス基板間に電気光学物質である液晶を密閉封入したものであり、例えば、ポリシリコ
ンＴＦＴをスイッチング素子として、与えられた画像信号に従って、それぞれに入射した
偏光光束の偏光方向を変調する。
【００２４】
この光変調部５０において、第１光路ＯＰ１に導かれた青色光ＬＢは、フィールドレン
ズ４３ｂを介して液晶パネル５１ｂの画像形成領域に入射する。第２光路ＯＰ２に導かれ
た緑色光ＬＧは、フィールドレンズ４３ｇを介して液晶パネル５１ｇの画像形成領域に入
射する。第３光路ＯＰ３に導かれた赤色光ＬＲは、リレー光学系４６，４７及びフィール
ドレンズ４３ｒを介して液晶パネル５１ｒの画像形成領域に入射する。各液晶パネル５１
ｂ，５１ｇ，５１ｒは、入射した照明光の偏光方向の空間的分布を変化させるための非発
光で透過型の光変調装置である。各液晶パネル５１ｂ，５１ｇ，５１ｒにそれぞれ入射し
た各色光ＬＢ，ＬＧ，ＬＲは、各液晶パネル５１ｂ，５１ｇ，５１ｒに画像情報に応じて
電気的信号として入力された駆動信号或いは制御信号に応じて、画素単位で偏光状態が調
整される。その際、偏光フィルタ５２ｂ，５２ｇ，５２ｒによって、各液晶パネル５１ｂ
，５１ｇ，５１ｒに入射する照明光の偏光方向が調整されるとともに、各液晶パネル５１
ｂ，５１ｇ，５１ｒから射出される光から所定の偏光方向の変調光が取り出される。
【００２５】
クロスダイクロイックプリズム６０は、射出側偏光板から射出された各色光毎に変調さ
れた光学像を合成してカラー画像を形成する光合成光学系である。このクロスダイクロイ
ックプリズム６０は、４つの直角プリズムを貼り合わせた平面視略正方形状をなし、直角
プリズム同士を貼り合わせた界面には、Ｘ字状に交差する一対の誘電体多層膜６１，６２
が形成されている。一方の第１誘電体多層膜６１は青色光を反射し、他方の第２誘電体多
層膜６２は赤色光を反射する。このクロスダイクロイックプリズム６０は、液晶パネル５
１ｂからの青色光ＬＢを第１誘電体多層膜６１で反射して進行方向右側に射出させ、液晶
パネル５１ｒからの赤色光ＬＲを第２誘電体多層膜６２で反射して進行方向左側に射出さ
せ、液晶パネル５１ｇからの緑色光ＬＧを両誘電体多層膜６１，６２を介して直進・射出
させる。
【００２６】
このようにクロスダイクロイックプリズム６０で合成された像光は、拡大投影レンズと
しての投射光学系７０を経て、適当な拡大率でスクリーン（不図示）にカラー画像として
投射される。
【００２７】
図２は、図１のプロジェクタ１０に組み込まれている光源ランプユニット２０の側方断
面図である。光源ランプユニット２０において、ランプ本体２１は、凹面鏡２２に支持さ
れて凹面鏡２２とともにランプ装置を構成しており、凹面鏡２２と凹レンズ２３とは、図
３に示されるホルダにアライメントされた状態で固定されている。
【００２８】
ランプ本体２１は、中央部が球状に膨出した石英ガラス管から構成され、中央部分が発
光部８１、この発光部８１の両側に延びる部分が第１及び第２封止部８３，８４となって
いる。このランプ本体２１には、メタルハライドランプ、高圧水銀ランプ、超高圧水銀ラ
ンプ等の放電発光型ランプが採用されている。
【００２９】
発光部８１の内部には、所定距離で離間配置される一対のタングステン製の電極８５，
８６と、水銀、希ガス、ハロゲン等を含むガスとが封入されている。一方、各封止部８３
，８４の内部には、発光部８１に設けた電極８５，８６と電気的に接続されるモリブデン
製の金属箔８７ａ，８７ｂが挿入され、両封止部８３、８４の先端部は、ガラス材料等で
封止されている。そして、この金属箔８７ａ，８７ｂに接続されたリード線８８ａ，８８
ｂに電圧を印加すると、一対の電極８５，８６間でアーク放電が生じ、発光部８１が高輝
度で発光する。
【００３０】
ランプ本体２１の発光部８１のうち光束射出前方側の略半分は、副反射鏡８９によって
覆われている。この副反射鏡８９は、ランプ本体２１の発光部８１から前方に放射された
光束を発光部８１に戻す副反射部８９ａと、この副反射部８９ａの根元部を支持した状態
で第２封止部８４の周囲に固定される支持部８９ｂとを備える。ここで、副反射部８９ａ
の内側ガラス面は、発光部８１の表面に倣う略球面の凹曲面状に加工され、その表面上に
反射面が形成されている。また、支持部８９ｂは、第２封止部８４を挿通させるとともに
、第２封止部８４との隙間に無機系接着剤ＭＢを充填することによって副反射部８９ａを
発光部８１に対してアライメントした状態で固定可能にしている。
【００３１】
凹面鏡２２は、ランプ本体２１の第１封止部８３が挿通される首状部２２ａと、この首
状部２２ａから拡がる楕円曲面状の主反射部２２ｂとを備えた石英ガラス製の一体成形品
である。首状部２２ａは、第１封止部８３を挿通させるとともに、第１封止部８３との隙
間に無機系接着剤ＭＢを充填することによって主反射部２２ｂを発光部８１に対してアラ
イメントした状態で固定可能にしている。また、主反射部２２ｂの内側ガラス面は、楕円
曲面状に加工され、その表面上に反射面が形成されている。
【００３２】
ランプ本体２１は、主反射部２２ｂのシステム光軸ＯＡに沿って配置されるとともに、
発光部８１内の電極８５，８６間の発光中心Ｏが主反射部２２ｂの楕円曲面の第１焦点Ｆ
１位置となるように配置される。ランプ本体２１を点灯した場合、発光部８１から放射さ
れた光束は主反射部２２ｂで反射され、或いは副反射部８９を経て主反射部２２ｂで反射
され、楕円曲面の第２焦点Ｆ２位置に収束する光束となる。
【００３３】
図３は、図１のプロジェクタ１０に組み込まれている光源ランプユニット２０の斜視図
である。
【００３４】
光源ランプユニット２０は、前述したランプ本体２１、凹面鏡２２、副反射鏡８９、及
び凹レンズ２３のほかに、凹レンズ２３を保持する保持部材１６と、凹面鏡２２を保持す
るインナーホルダ９０とを備えて構成されている。
【００３５】
インナーホルダ９０は、断面Ｌ字状の合成樹脂製の一体成形品であり、水平部１５１及
び枠部９１を備えている。
【００３６】
水平部１５１は、ケース１１（図１参照）の壁部と係合し、光源ランプユニット２０を
ケース１１内に隠蔽して光漏れが出ないようにする部分である。また、この水平部１５１
には、ランプ本体２１を外部電源と電気的に接続するためのコネクタ８８ｄが固定され、
光源ランプユニット２０をケース１１に係合させると、インナーホルダ９０に近接して設
けた給電用の電源端子９６（後述する図４参照）に接続される。
【００３７】
枠部９１は、矩形の筒状の形状で、凹面鏡２２の照明光軸ＯＡ方向の位置決めを行うよ
うに凹面鏡２２の光束射出開口端縁が当接するストッパ９２を備える。この枠部９１に対
して凹面鏡２２の光束射出側開口端部分の外周縁部２２ｄが押さえバネ９３（後述する図
４参照）によって押圧され固定される。
【００３８】
また、このような水平部１５１及び枠部９１の適所には、突起及び凹部が形成されてお
り、これらの突起・凹部がケース１１内に形成された凹部・突起とそれぞれ係合すること
により、凹面鏡２２の光軸と照明光軸ＯＡとがアライメントされ、ランプ本体２１の発光
中心Ｏが照明光軸ＯＡ上に配置される。
【００３９】
保持部材１６は、凹面鏡２２の光束射出開口に応じた円筒形状であって、凹面鏡２２と
は反対側から枠部９１に接着固定され、凹レンズ２３の外周端部を保持するものである。
【００４０】
この保持部材１６は、一体成形された筒部１６１及び保持部１６２で構成されている。
筒部１６１は、内部にランプ本体２１を覆っている。保持部１６２は、この筒部１６１の
光束射出側端面を塞ぐように設けられ、凹レンズ２３が嵌め込まれる開口１６９を有して
いる。
【００４１】
保持部材１６には、保持部材１６の筒部１６１の一方の側面に吸気口１９１を、他方の
側面に排気口１９２を、それぞれ矩形状に切り欠いて形成してある。これにより、保持部
材１６及び凹面鏡２２内の空間を通過する冷却流路を確保することができる。これら吸気
口１９１及び排気口１９２には、ランプ本体２１の破裂時にランプの破片が飛散しないよ
うにメッシュ（図示しない）が備えられている。
【００４２】
図４は、光源ランプユニット２０における固定方法を説明する図である。図４（ａ）は
光源ランプユニット２０においてランプ装置１２４を通常の状態でインナーホルダ９０に
取り付けた様子を示し、図４（ｂ）はランプ装置１２４を上下逆の状態でインナーホルダ
９０に取り付けた様子を示す。
【００４３】
図４（ａ）に示すように、ランプ装置１２４は、ランプ本体２１の電極８５及び８６が
重力の働く方向（図４（ａ）に示されるＹ軸方向）に対して垂直な方向に沿って並ぶよう
に、横置型のインナーホルダ９０の内部に収まった横置状態で固定されている。ランプ装
置１２４は、正方形の輪郭の枠部９１を有する凹面鏡２２と、凹面鏡２２の中央に固定さ
れたランプ本体２１と、ランプ本体２１から延びる給電線８８とを備える。
【００４４】
ランプ装置１２４において、凹面鏡２２は、主反射部２２ｂの開口端の周囲に正方形の
外周縁部２２ｄを有しており、外周縁部２２ｄは、４つの辺部分２２ｆ，２２ｇ，２２ｈ
，２２ｉからなる。また、給電線８８は、ランプ本体２１の両端から延びるリード線８８
ａ，８８ｂを含んで成り、他端にコネクタ８８ｄが設けられている。このコネクタ８８ｄ
は、インナーホルダ９０に近接して設けた給電用の電源端子９６に接続される。
【００４５】
インナーホルダ９０において、枠部９１は、４つの辺部材９１ａ，９１ｂ，９１ｃ，９
１ｄを備える。このうち、隣接する２つの辺部材９１ａ，９１ｂは、ランプ装置１２４の
凹面鏡２２に設けた隣接する２つの辺部分２２ｆ，２２ｇにそれぞれ当接して、凹面鏡２
２すなわちランプ装置１２４を位置決めする位置決め部材として機能する。また、押さえ
バネ９３は、ランプ装置１２４の凹面鏡２２を辺部分２２ｆ，２２ｇ側に付勢して凹面鏡
２２の紙面内方向の移動を制限するとともに、凹面鏡２２を前方のストッパ９２側に付勢
して凹面鏡２２の紙面垂直方向の移動を制限する付勢部材として機能する。結果的に、簡
単な構造でありながら、正立状態のランプ装置１２４がインナーホルダ９０に対して十分
な強度で正確に位置決めされて固定される。
【００４６】
なお、以上の説明では、２つの辺部材９１ａ，９１ｂを位置決め部材として用いたが、
別の隣接する一組の辺部材９１ｂ，９１ｃ、辺部材９１ｃ，９１ｄ、辺部材９１ｄ，９１
ａを位置決め部材として用いることもできる。
【００４７】
図４（ｂ）に示すように、ランプ装置１２４は、インナーホルダ９０に対して上下逆に
装着し直すことができる。つまり、光源ランプユニット２０において、図４（ａ）でＹ軸
方向（＋）側に配置されていた辺部分２２ｈが、図４（ｂ）ではＹ軸方向（−）側に配置
されるようにランプ装置１２４の装着状態を変更する。この場合、隣接する２つの辺部材
９１ａ，９１ｂは、ランプ装置１２４の凹面鏡２２に設けた隣接する２つの辺部分２２ｈ
，２２ｉにそれぞれ当接して、凹面鏡２２すなわちランプ装置１２４を位置決めする。こ
の際、押さえバネ９３は、ランプ装置１２４の凹面鏡２２を辺部分２２ｈ，２２ｉ側に付
勢して凹面鏡２２の紙面内方向の移動を制限するとともに、凹面鏡２２を前方のストッパ
９２側に付勢して凹面鏡２２の紙面垂直方向の移動を制限する。結果的に、倒立状態のラ
ンプ装置１２４がインナーホルダ９０に対して十分な強度で正確に位置決めされて固定さ
れる。
【００４８】
図５は、図４で説明したようにランプ装置１２４をインナーホルダ９０に対して上下逆
に装着し直すことができる構成を備える意味を説明する図である。図５（ａ）は光源ラン
プユニット２０（図２参照）の初期状態を示し、図５（ｂ）は光源ランプユニット２０の
所定時間点灯後示し、図５（ｃ）はランプ装置１２４の上下を反転させた状態を示す。
【００４９】
図５（ａ）の初期状態において、ランプ装置１２４を構成する一対の電極８５，８６間
に形成されたアーク放電領域ＡＤは、熱対流等の影響でランプ本体２１の中心軸ＡＸより
もわずかに上側に移動しており、最も明るい高輝度発光点ＢＳも、中心軸ＡＸよりもわず
かに上側に移動している。一方で、凹面鏡２２の対称軸ＳＸは、光源ランプユニット２０
のシステム光軸ＯＡに一致しており、高輝度発光点ＢＳもシステム光軸ＯＡ上に正確に位
置する。つまり、高輝度発光点ＢＳは、図２に示す発光部８１中央の発光中心Ｏに相当す
るものとなっている。
【００５０】
図５（ｂ）は、ランプ装置１２４について５〜６時間の点灯後の状態を示しており、ラ
ンプ本体２１に設けた一対の電極８５，８６が熱の作用で上側にわずかに変位している。
電極８５，８６が下側ではなく上側に変位する傾向が強い理由については明確に分かって
いない。経験的には、ランプ装置１２４の点灯によって電極８５，８６が変形し、これら
の先端は、上側にわずかに変位してシステム光軸ＯＡの上側に移動している。結果的に、
高輝度発光点ＢＳは、システム光軸ＯＡから上側にずれた位置に移動するので、光源ラン
プユニット２０（図１参照）からの光束が次段の第１レンズアレイ３１や第２レンズアレ
イ３２の小レンズ３２ａに正確に入射しなくなり、投射像の大幅な照度低下を招くおそれ
がある。なお、一定時間を経過した後は、同様の点灯を継続しても安定した状態が維持さ
れ、電極８５，８６の位置は殆ど変化しない。
【００５１】
図５（ｃ）は、図５（ｂ）に示すランプ装置１２４の上下を反転させてインナーホルダ
９０（図４参照）に再装着した状態を示す。図からも明らかように、電極８５，８６がシ
ステム光軸ＯＡのまわりに回転して、電極８５，８６の先端がシステム光軸ＯＡの下側に
移動している。結果的に、高輝度発光点ＢＳは、システム光軸ＯＡ上に正確に位置するの
で、光源ランプユニット２０（図１参照）からの光束が次段のレンズアレイ３１，３２等
に正確に入射し、高輝度の投射像を投射することができる。
【００５２】
図６は、図４に対応するもので、光源ランプユニット２０の変形例を説明する図である
。この場合、ランプ装置１２４のランプ本体２１から延びる給電線８８の先端のコネクタ
８８ｄに配線の長さを延長するための延長線２８１を接続している。延長線２８１の先端
には、コネクタ２８８ｄが設けられており、このコネクタ２８８ｄは、インナーホルダ９
０（図４参照）に近接して設けた給電用の電源端子９６に接続される。この延長線２８１
の存在によって、ランプ装置１２４を上下逆にすると給電線８８配置が大きく変わって電
源端子９６に届きにくくなる場合であっても、給電線８８を電源端子９６に確実に接続す
ることができる。
【００５３】
〔プロジェクタの組立方法１〕
次に前述のプロジェクタ１０を組立てる第１の手順を、図７のフローチャートに基づい
て説明する。
（処理１）  ランプ装置１２４を組み立てる（フローチャート中のステップＳ１）。つま
り、ランプ本体２１、凹面鏡２２、及び副反射鏡８９をランプ装置１２４から射出される
光の照度が規格値以上になるように位置調整し、互いに固定する。
（処理２）  光源装置２０を組み立てる（ステップＳ２）。すなわち、上記（処理１）で
組み立てられたランプ装置１２４の凹面鏡２２に設けた隣接する２つの辺部分２２ｆ，２
２ｇをそれぞれインナーホルダ９０の隣接する２つの辺部材９１ａ，９１ｂに押し当てる
ことによって位置合わせし、押さえバネ９３の付勢力によって固定する。インナーホルダ
９０にさらに保持部材１６を固定し、保持部材１６の開口１６９に凹レンズ２３を位置合
わせし、固定する。
（処理３）  上記（処理２）で組み立てられた光源ランプユニット２０から射出される光
の照度を積分球で測定する（ステップＳ３）。
（処理４）  上記（処理３）で測定された照度が規格値以上であるかどうかを判定する（
ステップＳ４）。
（処理５）  上記（処理４）で照度が規格値以下であると判定された場合は、ランプ装置
１２４を他のものと交換し（処理２）に戻す（ステップＳ５）。
（処理６）  上記（処理４）で照度が規格値以上であると判定された場合は、所定時間の
光源ランプユニット２０の試験的点灯を行なう（ステップＳ６）。
（処理７）  上記（処理６）の試験的点灯後の光源ランプユニット２０から射出される光
の照度を積分球で測定する（ステップＳ７）。
（処理８）  上記（処理７）で測定された照度が規格値以上であるかどうかを判定する（
ステップＳ８。
（処理９）  上記（処理８）で照度が規格値以下であると判定された場合は、ランプ装置
１２４の上下組替えを行う（ステップＳ９）。すなわち、ランプ装置１２４の上下方向（
図４に示されるY軸方向）が逆になるようにインナーホルダ９０に組替える。ランプ装置
１２４の凹面鏡２２に設けた隣接する２つの辺部分２２ｈ，２２ｉをそれぞれインナーホ
ルダ９０隣接する２つの辺部材９１ａ，９１ｂに押し当てることによって位置合わせし押
さえバネ９３の付勢力によって固定する。このとき、給電線８８のコネクタ８８ｄがイン
ナーホルダ９０の装着場所に届かない場合は、延長線２８１を接続し、延長線２８１のコ
ネクタ２８８ｄをインナーホルダ９０に装着させる。
（処理１０）  上記（処理９）でランプ装置１２４の上下が組替えられた光源ランプユニ
ット２０から射出される光の照度を積分球で測定する（ステップＳ１０）。
（処理１１）  上記（処理１０）で測定された照度が規格値以上であるかどうかを判定す
る（ステップＳ１１）。照度が規格値以下であると判定された場合は、上記（処理５）に
てランプ装置１２４を他のものと交換し上記（処理２）に戻す。
（処理１２）  上記（処理８）または（処理１１）で照度が規格値以上であると判定され
た場合は、光源ランプユニット１０は他の部品と共にプロジェクタ１０を構成する（ステ
ップＳ１２）。
【００５４】
上述の（処理１）〜（処理１１）のような光源ランプユニット２０の組立方法によれば
、試験的点灯後に光源ランプユニット２０の照度を測定して規格値以下であった場合は、
ランプ装置１２４を上下逆にしてインナーホルダ９０に再装着し、ランプ本体２１におい
てアークの位置ずれが発生したことが原因で照度が低下したと思われるランプ装置１２４
を規格値以上の照度の光を射出するランプ装置１２４とすることが可能となる。これによ
り、今まで照度が規格以下で使用不可となっていた光源ランプユニット２０のうち、ラン
プ装置を上下逆に取り付けるという簡単な作業により、照度の規格以上となった光源ラン
プユニット２０を使用可能とできるため、使用不可の光源ランプユニット２０を削減し生
産性を向上できるとともに、資源の消費を削減することが可能となった。さらに、（処理
１）〜（処理１１）の方法で組み立てられた光源ランプユニット２０を（処理１２）によ
ってプロジェクタ１０に組み込むことによって、プロジェクタ１０の組立方法においても
上述した効果を有することが可能となる。
【００５５】
〔プロジェクタの組立方法２〕
次に前述のプロジェクタ１０を組立てる第２の手順を、図８のフローチャートに基づい
て説明する。
（処理２１）  ランプ装置１２４を組み立てる（ステップＳ２１）。すなわち、ランプ本
体２１、凹面鏡２２、及び副反射鏡８９をランプ装置１２４から射出される光の照度が規
格値以上になるように位置調整し、互いに固定する。
（処理２２）  光源装置２０を組み立てる（ステップＳ２２）。すなわち、上記（処理２
１）で組み立てられたランプ装置１２４の凹面鏡２２に設けた隣接する２つの辺部分２２
ｆ，２２ｇをそれぞれインナーホルダ９０隣接する２つの辺部材９１ａ，９１ｂに押し当
てることによって位置合わせし押さえバネ９３の付勢力によって固定する。インナーホル
ダ９０にさらに保持部材１６を固定し、保持部材１６の開口１６９に凹レンズ２３を位置
合わせし、固定する。
（処理２３）  光源装置２０をプロジェクタに組み込む（ステップＳ２３）。具体的には
、上記（処理２２）で組み立てられた光源ランプユニット２０、他の光学部品３０，４０
，５０，６０，７０およびプロジェクタ１０の電力を供給する電源装置（図示せず）をプ
ロジェクタ１０内に組み込む。光源ランプユニット２０を点灯させ、他の光学部品３０，
４０，５０，６０，７０の位置調整を行なう。
（処理２４）  上記（処理２３）でプロジェクタ１０内に組み込まれた光学部品２０，３
０，４０，５０，６０，７０を用いて全白の画像を投影し、投写光学系７０から射出され
た光の照度を測定する（ステップＳ２４）。
（処理２５）  上記（処理２４）で測定された照度が規格値以上であるかどうかを判定す
る（ステップＳ２５）。
（処理２６）  上記（処理２５）で照度が規格値以下であると判定された場合は、プロジ
ェクタ１０から光源ランプユニット２０を取外し、ランプ装置１２４を他のものと交換し
上記（処理２２）に戻す（ステップＳ２６）。
（処理２７）  上記（処理２５）で照度が規格値以上であると判定された場合は、プロジ
ェクタ１０を電気的に制御する基板をプロジェクタ１０内に組み込む（ステップＳ２７）
。
（処理２８）  光源ランプユニット２０を点灯させてプロジェクタ１０の電気的な動作確
認（色調補正の書き込みなど）を行なう（ステップＳ２８）。
（処理２９）  上記（処理２８）の工程後のプロジェクタ１０において全白の画像を投影
し、投写光学系７０から射出された光の照度を測定する（ステップＳ２９）。
（処理３０）  上記（処理２９）で測定された照度が規格値以上であるかどうかを判定す
る（ステップＳ３０）。
（処理３１）  上記（処理３０）で照度が規格値以下であると判定された場合は、ランプ
装置１２４の上下組替えを行う（ステップＳ３１）。すなわち、プロジェクタ１０から光
源ランプユニット２０を取外し、ランプ装置１２４の上下方向（図４に示されるY軸方向
）が逆になるようにインナーホルダ９０に組替える。ランプ装置１２４の凹面鏡２２に設
けた隣接する２つの辺部分２２ｈ，２２ｉをそれぞれインナーホルダ９０隣接する２つの
辺部材９１ａ，９１ｂに押し当てることによって位置合わせし押さえバネ９３の付勢力に
よって固定する。このとき、給電線８８のコネクタ８８ｄがインナーホルダ９０の装着場
所に届かない場合は、延長線２８１を接続し、延長線２８１のコネクタ２８８ｄをインナ
ーホルダ９０に装着させる。
（処理３２）  上記（処理３１）でランプ装置１２４の上下が組替えられた光源ランプユ
ニット２０を上記（処理２１）で照度が規格以下と判定されたプロジェクタ１０に組み込
む。さらに、該プロジェクタ１０において全白の画像を投影し、投写光学系７０から射出
された光の照度を測定する（ステップＳ３２）。
（処理３３）  上記（処理３２）で測定された照度が規格値以上であるかどうかを判定す
る（ステップＳ３３）。照度が規格値以下であると判定された場合は、上記（処理２６）
にてランプ装置１２４を他のものと交換し上記（処理２２）に戻す。
（処理３４）  上記（処理２９）または（処理３２）で照度が規格値以上であると判定さ
れた場合は、残りの作業を行いプロジェクタ１０を完成させる（ステップＳ３４）。
【００５６】
上述の（処理２１）〜（処理３４）のようなプロジェクタ１０の組立方法２によれば、
先に説明したプロジェクタの製造方法１の同様の効果を奏するとともに下記の効果も得る
ことが可能となる。このプロジェクタの組立方法２によれば、（処理２８）のプロジェク
タ１０の電気的な動作確認中の光源ランプユニット２０点灯を先に説明したプロジェクタ
の組立方法１の（処理６）の試験的点灯に代えることが可能となり、プロジェクタ１０の
組立に要する時間を短縮できるとともに、電力消費を削減することが可能となる。また、
組立工程内における光源ランプユニット２０の点灯時間を削減できるので、光源ランプユ
ニット２０の組立工程内における寿命劣化を低減できる。
【００５７】
なお、この発明は、上記の実施形態に限られるものではなく、その要旨を逸脱しない範
囲において種々の態様において実施することが可能であり、例えば次のような変形も可能
である。
【００５８】
すなわち、上記実施形態では、ランプ装置１２４において凹面鏡２２の輪郭が略正方形
であるが、ランプ本体２１を中心軸上に配置する限り、凹面鏡２２の輪郭を長方形とする
こともできる。また、凹面鏡２２の輪郭は、概ね矩形であれば足り、例えば正方形の四隅
を部分的に切り取った８角形とすることもできる。
【００５９】
また、上記実施形態では、ランプ装置１２４に楕円の凹面鏡２２を用いていたが、楕円
の凹面鏡２２に代えて、放物面等の各種凹面鏡を用いることができる。放物面の凹面鏡を
用いた場合、凹面鏡２２の後段に凹レンズ２３等を設けなくとも、光源ランプユニット２
０から平行光束を射出させることが可能となる。
【００６０】
また、上記実施形態では、透過型のプロジェクタに本発明を適用した場合の例について
説明したが、本発明は、反射型プロジェクタにも適用することが可能である。ここで、「
透過型」とは、液晶パネル等を含むライトバルブが光を透過するタイプであることを意味
しており、「反射型」とは、ライトバルブが光を反射するタイプであることを意味してい
る。
【００６１】
また、プロジェクタとしては、投射面を観察する方向から画像投射を行う前面プロジェ
クタと、投射面を観察する方向とは反対側から画像投射を行う背面プロジェクタとがある
が、図１に示すプロジェクタ１０の構成は、いずれにも適用可能である。
【図面の簡単な説明】
【００６２】
【図１】実施形態に係るプロジェクタの光学系を説明する図である。
【図２】図１のプロジェクタに組み込まれた光源ランプユニットの断面図である。
【図３】図１のプロジェクタに組み込まれる光源ランプユニットの斜視図である。
【図４】（ａ）、（ｂ）は、光源ランプユニットにおける固定方法を示す図である。
【図５】（ａ）〜（ｂ）は、ランプ装置を倒立状態で固定する意味の説明図である。
【図６】光源ランプユニットの変形例を説明する図である。
【図７】実施形態に係るプロジェクタの組立方法１を表すフローチャートである。
【図８】実施形態に係るプロジェクタの組立方法２を表すフローチャートである。
【符号の説明】
【００６３】
１０…プロジェクタ、  １１…ケース、  ２０…光源ランプユニット、  ２１…ランプ
本体、  ２２…凹面鏡、  ２２ｂ…主反射部、  ２２ｄ…外周縁部、  ３０…照明光学系
、  ３１…第１レンズアレイ、  ３２…第２レンズアレイ、  ３４…偏光変換部材、  ３
５…コンデンサレンズ、  ４０…色分離装置、  ４１ａ，４１ｂ…ダイクロイックミラー
、  ４３ｒ，４３ｂ，４３ｇ…フィールドレンズ、  ４６，４７…リレー光学系、  ５０
…光変調部、  ５１ｂ，５１ｇ，５１ｒ…液晶パネル、  ５２ｂ，５２ｇ，５２ｒ…偏光
フィルタ、  ６０…クロスダイクロイックプリズム、  ６１，６２…誘電体多層膜、  ７
０…投射光学系、  ８１…発光部、  ８５，８６…電極、  ８８…給電線、  ８８ａ，８
８ｂ…リード線、  ８８ｄ…コネクタ、  ８９…副反射鏡、  ９０…インナーホルダ、  
９１…枠部、  ９２…ストッパ、  ９３…バネ、  ９６…電源端子、  １２４…ランプ装
置、  ＡＤ…アーク放電領域、  ＢＳ…高輝度発光点、  ＬＢ，ＬＧ，ＬＲ…照明光
【図１】
2007141490.tif 000003
【図２】
2007141490.tif 000004
【図３】
2007141490.tif 000005
【図４】
2007141490.tif 000006
【図５】
2007141490.tif 000007
【図６】
2007141490.tif 000008
【図７】
2007141490.tif 000009
【図８】
2007141490.tif 000010